(57)【要約】【課題】  複数のフリルを任意の場所に形成し、また波打つフリルを形成することで、一重のフリルでもボリューム感を出す方法を提供する。【解決手段】  前後針床が相対的にラッキング可能に構成された横編機を用いて、グランド編地部に波打つボリューム感のあるフリルを形成するに際し、グランド編地部を形成するステップと、フリル部を形成するステップと、前記フリル部と前記グランド編地部が接合する接合エリア部において、フリル部の最終コースが波状の形となるように順次グランド編地部と接合するステップ、を含むことを特徴とするフリルを有する編地の編成方法である。【選択図】  図３
2009062654.tif 000002
【特許請求の範囲】
【請求項１】
編針を列設した少なくとも前後一対の針床を有し、前後針床が相対的にラッキング可能に構成された横編機を用いて、グランド編地部に波打つボリューム感のあるフリルを形成するに際し、以下のステップを含むフリルを有する編地の編成方法であって、
グランド編地部を形成するステップ、
フリル部を形成するステップ、
前記フリル部と前記グランド編地部が接合する接合エリア部において、フリル部の最終コースが波状の形となるように順次グランド編地部と接合するステップ、
を含むことを特徴とするフリルを有する編地の編成方法。
【発明の詳細な説明】
【技術分野】
【０００１】
本発明は、フリルを有する編地の編成方法と編地に関する。
【背景技術】
【０００２】
特許文献１では、靴下の足挿入口に近い折り返し部分に、編立て側からの筒状編地の所定のループを寄せ目した部分と、この寄せ目した部分から増やし目した部分とからなるフリル部分を、足挿入口部分に一体に形成し、従来のように、靴下の編成とは別にフリル等を作成しなくてもよい編成方法が開示されている。
【特許文献１】特開平１０−１８３４０４
【発明の開示】
【発明が解決しようとする課題】
【０００３】
特許文献１では靴下の足挿入口の編地の端部を折り返すことで、一重のフリルを形成しているが、折り返しのフリルということでボリューム感が乏しいと共に、形成する場所も限られている。本発明では、複数のフリルを任意の場所に形成することができ、また波打つフリルを形成することで、一重のフリルでもボリューム感を出すことを可能とする。
【課題を解決するための手段】
【０００４】
本発明は、編針を列設した少なくとも前後一対の針床を有し、前後針床が相対的にラッキング可能に構成された横編機を用いて、グランド編地部に波打つボリューム感のあるフリルを形成するに際し、以下のステップを含むフリルを有する編地の編成方法であって、グランド編地部を形成するステップ、フリル部を形成するステップ、前記フリル部と前記グランド編地部が接合する接合エリア部において、フリル部の最終コースが波状の形となるように順次グランド編地部と接合するステップ、を含むことを特徴とするフリルを有する編地の編成方法である。
【発明の効果】
【０００５】
本発明によれば、編地の端部で折り返しを行う場所以外でも複数のフリルを形成することができ、波打つフリルを形成することで、一重のフリルでもボリューム感を出すことを可能とする。
【発明を実施するための最良の形態】
【０００６】
以下に本発明の好適な実施例について、図１〜図３に基づいて説明する。図１は、本発明に係る第一実施例として裾にフリルを有した編地の正面図と側面図を示したものであり、裾に波打つフリルを３枚形成し、その後減らし処理を行ってＶ首成型柄を形成したものである。図２は、その編地の編成手順を示す。  
【０００７】
編地の編成には、編針を列設した前後一対の針床を有し、前後針床が相対的にラッキング可能に構成された横編機を用いる。
【０００８】
編地２０−ａは、身頃の裾部２辺りに３枚のフリルを形成したＶ首成型柄の正面図である。裾部２には、フリル感を強調する為に、伸縮度の高いリブ組織を編成してもよく、本実施例では、１Ｘ１リブの組織を編成し、グランド編地部３を平編みの表目で編成している。編幅いっぱいにフリル部１を形成し、所望するフリルの数だけグランド編地部３の編成、フリル部１編成の行程を繰り返す。
【０００９】
編地２０−ｂは、編地２０−ａの側面図を示し、向かって右側が前側を示す。フリル部１とグランド編地部３が接合する接合エリア部６において、フリル部１の最終コースが波状の形となるように接合され、波打つフリルがグランド編地部３の前側に形成されている。
【００１０】
図２は、フリルの編成手順を示している。ここではグランド編地部３を形成し、フリル部１の編出しの為、前針床で編成したグランド編地部３の表目の編目を、一目毎に重ね目を持つように後針床に目移しをして、いわゆる針抜き状態に配置する。その状態での前後空針を使って、トメ、袋回しの編成を行い、フリル部１の形成をスタートする。
【００１１】
フリル部１を形成した後、グランド編地部３への接合を接合エリア部６で行う。フリル部１の最終コースの編目４をグランド編地部３に接合する際、全て同時に行い横一線のラインで接合するのではなく、接合ポイント５を複数回に分けて波状の形となるように順次接合することで、波打つフリルが形成され、ボリューム感が強調される。なお、分割する回数は固定されるものではなく、フリル感の状態により３回〜８回程度にすることが好ましい。本実施例では４回に分けて接合している。
また、接合ポイント５での接合する編目数に関しては、一目単位で自由に組み合せて接合しても良いが、フリルの仕上がりや編成効率を考慮すると２〜８目単位でまとめ、波状の形を形成する際、上下や左右で対称な形にするのが好ましい。本実施例では４目まとめを基準として形成している。
【００１２】
接合エリア部６では、一針ごとに空針を設けている針抜きの状態であり、グランド編地部３、フリル部１とは異なった編糸で編成する。本実施例では、ウーリーナイロン糸に伸縮糸のマルロン糸を添えて編成している。針抜き編成との相乗効果もあり、接合部での伸縮がなされ、フリルの波打ち形成につながっている。
【００１３】
フリル部１を接合エリア部６でグランド編地部３に接合後、再度グランド編地部３を編成し、同様の行程を２度繰り返し、３枚の波打つフリルを形成し、Ｖ首成型編地を完成する。
【００１４】
第二実施例として、襟元を飾るフリルを有した編地の正面図を図３に示す。縦方向にフリルを形成する為に、一方の脇線１７から他方の脇線１７に向けて編成している。(編成方向１０)形成するフリル部１１については、各フリルの編幅や接合する位置に変化をつけ編成している。
【００１５】
図２に示す編成手順は、第一実施例と基本的には同じであるが、グランド編地部１３には伸縮性が高いストレッチ糸を使い、フリル部１１には伸縮しない別素材を使い、接合エリア部６には第一実施例と同様の編成糸の組み合わせを使う。ここでは、グランド編地１３に伸縮性が高いストレッチ糸を使っているので、接合エリア部６で使用する伸縮糸のマルロン糸においては、伸縮性の低いものでも、同様の効果を得ることができる。更には、各フリル間のグランド編地部１３の編成コースを少なくすることで、フリルの重なりが多くなり、よりボリューム感の高いフリル部１１が形成できる。
【００１６】
第二実施例では、編地３０で示すＶ首成型編地の編成に際し、Ｖ首襟の周りにフリル部１１を形成している。フリルの編幅も少しずつ増やしてＶ首の底部にあたる部分を最長とし、編成時には上下対称の型で形成する。
【００１７】
また、上記各実施例では成型編地に対しフリル部１、１１を形成したが、これに限られるものではなく、筒状編地に対してフリルを形成することも可能である。
【００１８】
さらにまた、上記各実施例ではフリル部１、１１とグランド編地部３、１３は別々に編成されているが、フリル部１、１１をグランド編地部３、１３以外の針床の空針で同時に並行して編成し、編目の移動を行って接合してもよく、編目を預け置くことが可能な編針や４面ベッドの編機を使って、並行して編成してもよい。
【図面の簡単な説明】
【００１９】
【図１】第一実施例での裾にフリルを有した編地の正面図と側面図。
【図２】第一、第二実施例でのフリル編成手順図。
【図３】第二実施例での襟元を飾るフリルを有した編地の正面図。
【符号の説明】
【００２０】
１、１１      フリル部
２、１２      裾部
３、１３      グランド編地部
４            最終コースの編目
５            接合ポイント
６            接合エリア部
１０          編成方向
１７          脇線
２０−ａ      第一実施例で示すフリルを有した編地の正面図
２０−ｂ      第一実施例で示すフリルを有した編地の側面図
３０          第二実施例で示すフリルを有した編地の正面図
【図１】
2009062654.tif 000003
【図２】
2009062654.tif 000004
【図３】
2009062654.tif 000005